(57)【要約】      （修正有）【課題】趣きがあり美観が長期にわたって良好に保持される観葉植物を提供する。【解決手段】観葉植物１は、植物体４と、植物体４の少なくとも根部５を収容する透明ないし半透明の容器３と、収容された植物体４と容器３の内周面３ａとの間に充填されて植物体４を支える培地材６とを備えてなり、編地または織地からなる着色布９を培地材６と容器３の内周面３ａとの間に介装したものである。着色布９には撥水処理が施されている。着色布９の繊維表面は耐光性を有する耐光膜で被覆されている。培地材６は、多孔質粒体と、該多孔質粒体の表面を防藻・防かび性を有する防藻・防かび膜で被覆した被覆粒体とから成っている。【選択図】図３
0003119153.tif 000002
【実用新案登録請求の範囲】
【請求項１】
植物体と、該植物体の少なくとも根部を収容する透明ないし半透明の容器と、収容された植物体と容器内周面との間に充填されて植物体を支える培地材とを備えてなり、編地または織地からなる着色布を培地材と容器内周面との間に介装したことを特徴とする観葉植物。
【請求項２】
着色布に撥水処理が施されている請求項１に記載の観葉植物。
【請求項３】
着色布の繊維表面が、耐光性を有する耐光膜で被覆されている請求項１または請求項２に記載の観葉植物。
【請求項４】
培地材が、多孔質粒体と、該多孔質粒体の表面を防藻・防かび性を有する防藻・防かび膜で被覆した被覆粒体とから成る請求項１から請求項３のいずれか一項に記載の観葉植物。
【考案の詳細な説明】
【技術分野】
【０００１】
本考案は、水耕性の植物体を透明ないし半透明の容器に収容した観葉植物に関するものである。
【背景技術】
【０００２】
近年、培養土の替りに、通気性、通水性に富んだ発泡煉石（ハイドロボールまたはハイドロコーンと称されている）を貯水可能な容器に収容して水耕性の植物体を栽培する、ハイドロカルチャーと称される栽培態様が実施されている。前記のハイドロボールは粘土を約１２００度で焼成して得た多孔質煉瓦状の粒体であり、適度の水分と空気を保持して植物体の根に好適な栽培環境を与えるとともにハイドロボール間の隙間の空気層が断熱層となって根を寒さから保護することで知られている。このようなハイドロカルチャーと関連した技術は下記の特許文献１に記載されている。
【０００３】
【特許文献１】特開平８−１４０５０７号公報
【考案の開示】
【考案が解決しようとする課題】
【０００４】
ところで、身近にあるちょっとした趣のある容器、例えばコップ、ワイングラス、ブランディーグラスなど透明ないし半透明の容器を使用したいことがある。しかしながら、このような透明ないし半透明の容器をハイドロカルチャーに用いると、粗雑な外観を呈するハイドロボールが透明容器または半透明容器を通して見えるので、容器の趣きが損なわれ見た目もよくない。また、かかる容器付きの観葉植物は窓際など日当りのよい場所に置かれることが多く、短期間で緑藻がハイドロボールに発生して見苦しくなり、ひいては緑藻が容器内周面まで拡がって美観を損なうことがあった。
【０００５】
本考案は、上記した従来の問題点に鑑みてなされたものであって、趣きがあり美観が長期にわたって良好に保持される観葉植物の提供を目的とする。
【課題を解決するための手段】
【０００６】
上記目的を達成するために、本考案に係る観葉植物は、植物体と、該植物体の少なくとも根部を収容する透明ないし半透明の容器と、収容された植物体と容器内周面との間に充填されて植物体を支える培地材とを備えてなり、編地または織地からなる着色布を培地材と容器内周面との間に介装したものである。
【０００７】
本考案に用いる植物体としては、水耕栽培可能な植物体であれば特に限定されないが、美しさと落ち着きに富むハイドロカルチャーに使用できるものがより好ましい。かかるものとして、例えばポトス、オリヅルラン、サンセベリア、パキラ、アスパラガス、ペペロミア、ホヤ、ヘデラ、ホンコンカポック、アレカヤシなどが挙げられる。
【０００８】
培地材としては、植物体の根をしっかりと支えて植物体の好適な育成条件を創出するものであれば特に限定されないが、例えば小石、砂、発泡スチロール粒、多孔質粒体が挙げられる。前記の多孔質粒体としては、例えば発泡煉石（ハイドロボール）などが挙げられる。
【０００９】
着色布を構成する繊維としては、編成または織成され得るものであれば特に限定されない。例えば、ポリアミド系繊維、ポリエステル系繊維、ポリウレタン系繊維、ポリアクリル系繊維、ビニロン系繊維などの合成繊維、アセテート系繊維などの半合成繊維、レーヨン系繊維などの再生繊維、綿糸、麻糸、羊毛、絹糸などの天然繊維、その他の繊維を使用可能である。なかでも、ポリアミド系繊維、ポリエステル系繊維、ポリアクリル系繊維のような耐水性と耐光性の高い繊維を用いるとよい。本考案に用いる着色布は、編地や織地の原反を染料で染色したり顔料を付着させて着色した布や、染料、顔料、金属蒸着で予め色付けした繊維で編んだり織ったりして得た布などをいう。この場合の色は有彩色のみならず、白色、黒色などの無彩色、あるいは金色、銀色、金属色を含むものとする。
【００１０】
着色布に撥水処理を施す場合、例えばシリコーン系、ワックス系、メチロールアミド系の柔軟撥水剤や、フッ素系の撥水撥油剤が使用される。この場合、撥水処理は、撥水性薬剤液中への着色布の浸漬、着色布への薬剤塗布や薬剤噴霧などにより撥水性薬剤を着色布に付着させて行なう。
【００１１】
着色布を構成する繊維の表面を耐光性を有する耐光膜で被覆することもできるが、かかる耐光膜に用いられる耐光性薬剤としては、例えばヒドロキシベンゾフェノン化合物、ヒドロキシベンゾトリアゾール化合物、イソチアゾリン化合物とベンズイミダゾール化合物の併用物、トリアジン化合物とベンズイミダゾール化合物とヨードプロピルブチルカーバメート化合物の併用物、フッ素化ベンズトリアゾール化合物などが挙げられる。上記した各耐光性薬剤は、耐光性薬剤液中への着色布の浸漬、着色布への薬剤塗布や薬剤噴霧などにより着色布に付着させる。薬剤付着後の着色布の養生は、自然通風乾燥、高温乾燥、温風吹付け乾燥などによる。これにより、着色布の繊維表面に強固な耐光膜が成膜する。
【００１２】
更に、保水性を有する多孔質粒体と、この多孔質粒体の表面を防藻・防カビ膜で被覆した保水性のない被覆粒体とから、培地材を構成してもよい。その場合、培地材の全体量のうち、被覆粒体を４０重量％以上９５重量％以下とするのが好ましい。被覆粒体が４０重量％を下回ると、緑藻やかびの発生しやすい多孔質粒体が相対的に多くなり短期間のうちに緑藻などが発生して見苦しくなる。一方、被覆粒体が９５重量％を上回ると、培地材全体の保水力が小さくなりすぎて植物体の生育に不具合を生じるおそれがある。
【考案の効果】
【００１３】
本考案に係る観葉植物によれば、透明または半透明の容器の内周面と培地材との間に編地または織地からなる着色布が介装されるので、看者は容器を通して見える着色布の色や配置、すなわちカラーバリエーションを楽しむことができる。また、容器を透過した光の一部は着色布で遮られて培地材に届かないので、培地材での緑藻発生を抑制して、観葉植物全体の美観を長期にわたって良好に保持することができる。
【００１４】
また、着色布に撥水処理を施した場合は、着色布が水に濡れても乾いているときと同様に色が明るく鮮やかなままであり、観葉植物の美しさを際立たせる効果がある。因みに、撥水処理が施されていない着色布は水に濡れると色が濃くなり鈍くなる。
【００１５】
そして、着色布の繊維表面を、耐光性を有する耐光膜で被覆した場合は、耐光膜が日光などの紫外線と空気中の酸素を遮断するから、色素および繊維の紫外線劣化および酸化劣化を抑制することができる。
【００１６】
更に、多孔質粒体と、多孔質粒体の表面を防藻・防カビ膜で被覆した被覆粒体とを混ぜた培地材を用いた場合は、多孔質粒体と被覆粒体との混合比率を変えることにより、培地材における緑藻発生の抑制と保水性を調節することができる。
【考案を実施するための最良の形態】
【００１７】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る観葉植物の外観図、図２は前記観葉植物の部分拡大正面図、図３は前記観葉植物の部分縦断面図である。
各図において、この実施形態に係る観葉植物１は、パキラ（植物体の一例）４と、パキラ４が植えられる粒状の培地材６，６，６，・・・と、ワイングラス状に形成されたガラス製の透明容器３とを備えている。培地材６，６，６，・・・は透明容器３の上面開口２から投入されてパキラ４の根部５と透明容器３の内周面３ａとの間に充填されパキラ４を支える。透明容器３内の底面には適当数の竹炭７，７，７が置かれ、竹炭７，７，７の上方の透明容器３の内周面３ａに、円盤状でスポンジ製の吸水盤８が支持されている。前記の培地材６，６，６，・・・は吸水盤８上に載置されている。
【００１８】
そして、多数の着色布９，９，９，・・・が、培地材６，６，６，・・・と透明容器３の内周面３ａとの間に介装されている。この実施形態では、例えば色の異なる１０種類の着色布９を使用している。符号の９ｇは緑色の着色布９を、９ｙは黄色の着色布９を、９ｋは黒色の着色布９を、９ｒは赤色の着色布９を、９ｌは金色の着色布９を、９ｗは白色の着色布９を、９ｕはブルー色の着色布９を、９ｐはピンク色の着色布９を、９ｓは銀色の着色布９を、９ｂは青色の着色布９を、それぞれ示している。
【００１９】
各着色布９は、図４に示すように、ポリエステル繊維からネット編みして得られた編地であり、各色の染料で染色された色付き原反から約２ｃｍ角の平面矩形状に裁断して得られた小布片である。この編地の編成部分１１の間に形成されたネット目１２は開口径が４〜５ｍｍ程度である。そして、着色布９を構成する繊維１３の表面は、図５に示すように、耐光性薬剤を含む耐光膜１４で被覆されている。更に、着色布９には撥水処理が施されている。
【００２０】
培地材６，６，６，・・・・は、図６に示すように、多孔質粒体６ｃと、多孔質粒体６ｃの表面を防藻・防カビ膜１５で被覆した被覆粒体６ｆとの混合物を使用してある。培地材６，６，６，・・・は透明容器３の上面開口２近傍まで充填されている。そして、培地材６，６，６，・・・の上面に、見た目に美しい装飾石１０，１０，１０，・・・が敷き詰められる。
【００２１】
上記のように構成された観葉植物１は、食卓、靴箱、窓辺、洗面所、机などに置かれて鑑賞される。最初の水遣りは、吸水盤８の下方に水を空間が満たしたのち、培地材６，６，６，・・・・全体に水が行き渡って濡らした状態となるまで上面開口２から注水される。日常の水遣りは吸水盤８の下方に水面が見える程度まででよい。このように食卓などに置かれた観葉植物１により、看者は透明容器３を通して見える着色布９，９，９，・・・によるカラーバリエーションを楽しむことができる。また、形状、大きさ、または色の異なる着色布９に取り替えることにより、同じ容器３を用いながら、看者に違う趣きを与えて気分転換を図ることができる。そして、培地材６，６，６，・・・は周囲の着色布９，９，９，・・・に遮られて大量の光が当たらず緑藻などの発生が抑制されるので、観葉植物１の美観が長期にわたって保持される。
【００２２】
また、本実施形態の着色布９は撥水処理が施されているので、水に濡れても乾いているときと同様に色が明るく鮮やかなままであり、美観がいっそう際立つ。因みに、撥水処理が施されていない着色布は水に濡れると色が濃くなって鈍くなり美観が激減する。加えて、かかる撥水処理により、着色布９への汚れの付着や緑藻類の発生を抑制でき、汚れが付着した場合でも洗濯により簡単に落とすことができる。そして、着色布９の繊維１３の表面は耐光性成分を含む耐光膜１４で被覆されているので、耐光膜１４が日光などの紫外線と空気中の酸素を遮断して繊維１３に到達させない。これにより、繊維１３および色素の紫外線劣化および酸化劣化が抑制され、着色布９が長期にわたって型崩れすることなく美しい色合いに保持される。また、培地材６，６，６，・・・は、多孔質粒体６ｃ，６ｃ，６ｃ，・・・と被覆粒体６ｆ，６ｆ，６ｆ，・・・とを混ぜたものであるので、多孔質粒体６ｃと被覆粒体６ｆとの混合比率を変えることにより、培地材６における緑藻発生の抑制と保水性を調節できる。多孔質粒体６ｃと被覆粒体６ｆとの混合比率は、用いる植物体の種類に応じて適切な値に変更すればよい。
【００２３】
尚、上記の実施形態では、小片の着色布９を多数用いた例を示したが、本考案はそれに限定されるものでなく、例えば、図７に示す観葉植物１Ａのように、幅広で長尺の２枚の着色布９Ａ，９Ｂを用いることも可能である。これらの着色布９Ａ，９Ｂは短辺約６ｃｍで長辺約３３ｃｍの長尺帯状の編布であり、それぞれ異なる色に染色されている。あるいは、図示は省略するが、着色布９Ａ，９Ｂのような着色布を３枚以上用いてもよい。
【００２４】
また、上記では容器として透明なガラス製のものを例示したが、容器を通して外部から着色布の存在および色を視認可能であれば半透明の容器でも構わない。更には、透明ないし半透明の合成樹脂製の容器を用いることも可能である。また、上記では着色布として編地を用いた例を示したが、本考案の着色布としては編地に限らず、織地を用いてもよい。
【実施例１】
【００２５】
次に、本考案の実施例を説明するが、この実施例も本考案の一具体例に過ぎず、本考案の技術的範囲を限定するものでない。まず、耐光性剤（三木理研工業製、ベンゾトリアゾール系の液状薬剤であり、品名：リケンレジンＵＶＣ−２５Ａ）２重量部と、防藻・防かび剤（シナネンゼオミック製、アルミノ珪酸塩と銀イオンを含む懸濁液状の薬剤であり抗菌性も備えている。品名：ゼオミック）３重量部とを薬液貯槽に収容し、水９５重量部を加えて常温常圧下で十分に撹拌し混合液とする。予め所望色に染色された原反ロールから長尺帯状のネット編地（ポリエステル製）を繰り出し、薬液貯槽の混合液中に浸漬させる。浸漬後のネット編地から余分な混合液をマングルローラで搾り落とし、後続の乾燥機において１４０〜１６０℃で加熱乾燥し耐光性剤および防藻・防かび剤を繊維表面に成膜させ、ロールとして巻き取る。
【００２６】
続いて、別の薬液貯槽に収容した撥水剤（日華化学製、弱カチオンフッ素系高分子共重合体を主成分とする液状薬剤であり、品名：ＮＫガードＮＤＮ−７）中に、前記の耐光性剤および防藻・防かび剤が定着したネット編地を通して浸漬させる。そして、前工程と同様、浸漬後のネット編地からマングルローラで余分な撥水剤液を搾り落とし、後続の乾燥機でネット編地を加熱乾燥させる。このようにして得られた長尺帯状のネット編地を所望の形状・寸法（この例では約２ｃｍ角の矩形状小片）に切断して着色布を得た。以上の製造工程を１０色（白、黒、青、ブルー、赤、ピンク、黄、緑、金、銀）の着色布ごとにそれぞれ個別に実行した。
【００２７】
次に、培地材として、無機質の多孔質粒体であるハイドロボール４０重量部と、ハイドロボールの表面を防藻・防カビ膜で被覆した被覆粒体６０重量部とを混ぜて使用した。前記の被覆粒体は、薬液貯槽に収容した防藻・防かび剤（シナネンゼオミック製、アルミノ珪酸塩と銀イオンを含む懸濁液状の薬剤であり抗菌性も備えている。品名：ゼオミック）中に、ハイドロボールを収容したステンレス籠を浸漬させ、浸漬後にステンレス籠を薬液から引き上げて余分な薬液を液切りし、後続の乾燥機において１４０〜１６０℃で加熱乾燥させて得たものである。
【００２８】
そして、胴部外径約１１ｃｍのガラス製ブランディーグラスを透明容器として用い、植物体としてパキラを用いた。透明容器は清浄なものを使用し、パキラの根部、着色布、ハイドロボール、吸水盤、竹炭はいずれも十分に洗浄し除菌しておいた。縦横１ｃｍ×３ｃｍの竹炭を３〜４片透明容器の底面に置き、その上方に吸水盤を載置し、吸水盤上に培地材を約１ｃｍの高さに積み上げた。そして、培地材上方の透明容器の内周面に着色布を一枚ずつ周方向に取り付けていく。この取付けに際して着色布を水で濡らしておくと、簡単に貼り付けることができ、取付け位置の変更も容易に行うことができる。そうして、容器内周面の全周にわたり着色布を上下２段程度取り付けたのち、容器内の培地材上にパキラの根部を置き、根部と着色布との間に培地材を充填しパキラを支持した。前記のような容器内周面への着色布の取り付けと培地材の充填を繰り返して、透明容器の上面開口近くまで培地材を充填したのち、培地材上面に装飾石を敷き詰めて、本実施例の観葉植物を得た。
【図面の簡単な説明】
【００２９】
【図１】本考案の一実施形態に係る観葉植物の外観図である。
【図２】前記観葉植物の部分拡大正面図である。
【図３】前記観葉植物の部分縦断面図である。
【図４】前記観葉植物に用いる着色布の正面図である。
【図５】前記着色布を構成する繊維などを示す拡大断面図である。
【図６】前記観葉植物に用いる培地材の縦断面図である。
【図７】本考案の別の実施形態に係る観葉植物の部分縦断面図である。
【符号の説明】
【００３０】
１，１Ａ  観葉植物
３    透明容器
３ａ  内周面
４    パキラ（植物体）
５    根部
６    培地材
６ｃ  多孔質粒体
６ｆ  被覆粒体
９    着色布
１３  繊維
１４  耐光膜
１５  防藻・防カビ膜
【図１】
0003119153.tif 000003
【図２】
0003119153.tif 000004
【図３】
0003119153.tif 000005
【図５】
0003119153.tif 000006
【図６】
0003119153.tif 000007
【図７】
0003119153.tif 000008
【図４】
0003119153.tif 000009